(57)【要約】【課題】撓みの少ない構成のスクリーンを用いて大画面表示時に繋ぎ目が目立たない高解像度表示を実現するようにしたテーブル型ディスプレイ装置を提供する。【解決手段】画像を形成するための光束を投写する複数Ｍ個のプロジェクタ１Ｌ，１Ｒと、プロジェクタ１Ｌ，１Ｒのそれぞれから投写される光束の光路を曲げるための複数Ｎ個の反射ミラー２Ｌ，２Ｒと、反射ミラー２Ｌ，２Ｒによって光路を曲げられた光束をそれぞれ所定領域に投写される水平設置型のスクリーン３とから成るテーブル型ディスプレイ装置では、スクリーン３は、該スクリーンの撓みを少なくするための透明ベース部材７と、プロジェクタ１Ｌ，１Ｒのそれぞれから投写される光束をほぼ均一化する光学シート９と、像を結像する拡散スクリーン８とを具備して成る。【選択図】　　　　図２
2004012712.tif 000002
【特許請求の範囲】
【請求項１】
画像を形成するための光束を投写する複数Ｍ個のプロジェクタと、該複数Ｍ個のプロジェクタのそれぞれから投写される光束の光路を曲げるための複数Ｎ個の反射ミラーと、該複数Ｎ個の反射ミラーによって光路を曲げられた光束をそれぞれ所定領域に投写される水平設置型のスクリーンとから成るテーブル型ディスプレイ装置であって、
前記スクリーンは、該スクリーンの撓みを少なくするための透明ベース部材と、像を結像する拡散スクリーンとを具備して成ることを特徴とするテーブル型ディスプレイ装置。
【請求項２】
画像を形成するための光束を投写する複数Ｍ個のプロジェクタと、該複数Ｍ個のプロジェクタのそれぞれから投写される光束の光路を曲げるための複数Ｎ個の反射ミラーと、該複数Ｎ個の反射ミラーによって光路を曲げられた光束をそれぞれ所定領域に投写される水平設置型のスクリーンとから成るテーブル型ディスプレイ装置であって、
前記スクリーンは、該スクリーンの撓みを少なくするための透明ベース部材と、前記複数Ｍ個のプロジェクタのそれぞれから投写される光束をほぼ均一化する光学シートと、像を結像する拡散スクリーンとを具備して成ることを特徴とするテーブル型ディスプレイ装置。
【請求項３】
画像を形成するための光束を投写する複数Ｍ個のプロジェクタと、該複数Ｍ個のプロジェクタのそれぞれから投写される光束の光路を曲げるための複数Ｎ個の反射ミラーと、該複数Ｎ個の反射ミラーによって光路を曲げられた光束をそれぞれ所定領域に投写される水平設置型のスクリーンとから成るテーブル型ディスプレイ装置であって、
前記スクリーンは、該スクリーンの撓みを少なくするための透明ベース部材と、前記複数Ｍ個のプロジェクタのそれぞれから投写される光束をほぼ均一化する光学シートと、像を結像する透過型の拡散シートと、該拡散シートを保護するための保護ガラスとを具備して成ることを特徴とするテーブル型ディスプレイ装置。
【請求項４】
前記光学シートは、フレネルレンズであることを特徴とする請求項２または３記載のテーブル型ディスプレイ装置。
【請求項５】
前記光学シートは、レンチキュラーシートであることを特徴とする請求項２または３記載のテーブル型ディスプレイ装置。
【請求項６】
前記光学シートは、前記拡散スクリーンの表示面の２次元方向の一方向にレンズを配列したレンチキュラーシートおよび前記２次元方向の他方向にレンズを配列したレンチキュラーシートより成ることを特徴とする請求項２または３記載のテーブル型ディスプレイ装置。
【請求項７】
前記光学シートは、ビーズスクリーンであることを特徴とする請求項２または３記載のテーブル型ディスプレイ装置。
【請求項８】
前記光学シートは、ホログラフィスクリーンであることを特徴とする請求項２または３記載のテーブル型ディスプレイ装置。
【請求項９】
前記透明ベース部材は、合わせガラスであることを特徴とする請求項１〜８の何れか１項記載のテーブル型ディスプレイ装置。
【請求項１０】
前記透明ベース部材は、熱強化ガラスであることを特徴とする請求項１〜８の何れか１項記載のテーブル型ディスプレイ装置。
【請求項１１】
前記透明ベース部材は、アクリル板であることを特徴とする請求項１〜８の何れか１項記載のテーブル型ディスプレイ装置。
【請求項１２】
前記拡散スクリーンは、合わせガラスに拡散層を設けて成る拡散スクリーンであることを特徴とする請求項１または２記載のテーブル型ディスプレイ装置。
【請求項１３】
前記拡散スクリーンは、熱強化ガラスに拡散層を設けて成る拡散スクリーンであることを特徴とする請求項１または２記載のテーブル型ディスプレイ装置。
【請求項１４】
前記保護ガラスは、合わせガラスであることを特徴とする請求項３記載のテーブル型ディスプレイ装置。
【請求項１５】
前記保護ガラスは、熱強化ガラスであることを特徴とする請求項３記載のテーブル型ディスプレイ装置。
【請求項１６】
前記光学シートおよび前記拡散シートは、所定量の張力を掛けられていることを特徴とする請求項３記載のテーブル型ディスプレイ装置。
【請求項１７】
前記保護ガラスは、装置最上部に配置されるとともに、該保護ガラスの下層に配置される各種部材を保持するスクリーンフレームに対してシール材で接着されることを特徴とする請求項３記載のテーブル型ディスプレイ装置。
【請求項１８】
前記保護ガラスは、単独で交換可能な構造になっていることを特徴とする請求項３または１７記載のテーブル型ディスプレイ装置。
【請求項１９】
前記光学シートは、前記透明ベース部材と、前記拡散スクリーンと、前記スクリーンフレームとにより密閉構造になっていることを特徴とする請求項２または３記載のテーブル型ディスプレイ装置。
【発明の詳細な説明】
【０００１】
【発明の属する技術分野】
本発明は、複数個のプロジェクタから画像を形成するための光束を水平設置型のスクリーン上に投写することにより大画面表示時に高解像度表示を実現し得るようにしたテーブル型ディスプレイ装置に関するものである。
【０００２】
【従来の技術】
水平設置型のスクリーン上に画像を形成するための光束を投写するようにした従来のテーブル型ディスプレイ装置としては、例えば、１０インチ〜１４インチ程度の１つのＬＣＤパネルをテーブル状筺体の水平面に埋め込んでＬＣＤパネルに画像を表示するタイプのものや図１８に示すタイプのものがある。図１８に示す従来のテーブル型ディスプレイ装置は、特開２０００−３０５０７９号公報の図３に記載されたものに対応しており、画像を形成するための光束を投写する１個のプロジェクタ５１と、プロジェクタ５１から投写される光束の光路を２回曲げるための２個の反射ミラー５２，５３と、これら反射ミラー５２，５３によって光路を２回曲げられた光束を投写される水平設置型の透過型スクリーン５４とを同一の筺体５５に内蔵して成り、筺体５５は机形状に構成され、透過型スクリーン５４は机面（テーブル面）を構成している。
【０００３】
図１８に示す従来のテーブル型ディスプレイ装置は、１個のプロジェクタ５１から投写される光束を２個の反射ミラー５２，５３を介して透過型スクリーン５４上に投写する構造を採用しているため、プロジェクタの解像度とスクリーン上の表示解像度とは同一になる。そのため、例えばＸＧＡ（１０２４×７６８画素）の解像度を有するプロジェクタを用いたとしても、スクリーン上の解像度はＸＧＡにしかならず、スクリーンを大画面化した場合には、却って表示される画像がぼけて見にくくなってしまう。したがって、上記従来のディスプレイ装置では、大画面表示時に高解像度表示を実現することは困難である。
【０００４】
ディスプレイ装置において大画面表示時に高解像度表示を実現する方法としては、例えば本願出願人が先に出願した特開平９−３２６９８１号公報に記載されているように、複数個のプロジェクタからの画像を形成するための光束をそれぞれ大画面に構成したスクリーンの所定領域に投写することにより、スクリーン全体で１つの画像を表示する方法がある。
【０００５】
【発明が解決しようとする課題】
大画面に構成したスクリーンを水平設置してテーブル型ディスプレイ装置を構成した場合、スクリーンの自重によってスクリーンが撓んだり、スクリーン上に観察者の体重の一部または全部が掛かることによりスクリーンが撓んだりすることがあり、その場合には表示画像が歪んだりぼけたりして表示品質が劣化するので、スクリーンの撓みを少なくする必要がある。
また、複数個のプロジェクタからの画像を形成するための光束をそれぞれ大画面に構成したスクリーンの所定領域に投写した場合、各領域の周辺部での光束の入射角が中央部での光束の入射角に比べて大きくなるので、隣接領域の境界部が暗く見えて繋ぎ目が目立ったり、観察者の立つ位置によって表示画像の見え方が異なってしまうことになる。
【０００６】
本発明は、撓みの少ない構成のスクリーンを用いて大画面表示時に高解像度表示を実現するようにしたテーブル型ディスプレイ装置を提供することを第１の目的とする。
本発明は、撓みの少ない構成のスクリーンを用いて大画面表示時に繋ぎ目が目立たない高解像度表示を実現するようにしたテーブル型ディスプレイ装置を提供することを第２の目的とする。
【０００７】
【課題を解決するための手段】
上記第１の目的を達成するため、請求項１に記載の第１発明は、画像を形成するための光束を投写する複数Ｍ個のプロジェクタと、該複数Ｍ個のプロジェクタのそれぞれから投写される光束の光路を曲げるための複数Ｎ個の反射ミラーと、該複数Ｎ個の反射ミラーによって光路を曲げられた光束をそれぞれ所定領域に投写される水平設置型のスクリーンとから成るテーブル型ディスプレイ装置であって、前記スクリーンは、該スクリーンの撓みを少なくするための透明ベース部材と、像を結像する拡散スクリーンとを具備して成ることを特徴とする。
【０００８】
上記第２の目的を達成するため、請求項２に記載の第２発明は、画像を形成するための光束を投写する複数Ｍ個のプロジェクタと、該複数Ｍ個のプロジェクタのそれぞれから投写される光束の光路を曲げるための複数Ｎ個の反射ミラーと、該複数Ｎ個の反射ミラーによって光路を曲げられた光束をそれぞれ所定領域に投写される水平設置型のスクリーンとから成るテーブル型ディスプレイ装置であって、前記スクリーンは、該スクリーンの撓みを少なくするための透明ベース部材と、前記複数Ｍ個のプロジェクタのそれぞれから投写される光束をほぼ均一化する光学シートと、像を結像する拡散スクリーンとを具備して成ることを特徴とする。
【０００９】
上記第２の目的を達成するため、請求項３に記載の第３発明は、画像を形成するための光束を投写する複数Ｍ個のプロジェクタと、該複数Ｍ個のプロジェクタのそれぞれから投写される光束の光路を曲げるための複数Ｎ個の反射ミラーと、該複数Ｎ個の反射ミラーによって光路を曲げられた光束をそれぞれ所定領域に投写される水平設置型のスクリーンとから成るテーブル型ディスプレイ装置であって、前記スクリーンは、該スクリーンの撓みを少なくするための透明ベース部材と、前記複数Ｍ個のプロジェクタのそれぞれから投写される光束をほぼ均一化する光学シートと、像を結像する透過型の拡散シートと、該拡散シートを保護するための保護ガラスとを具備して成ることを特徴とする。
【００１０】
前記光学シートは、前記複数Ｍ個のプロジェクタのそれぞれから投写される光束をほぼ均一化するために、請求項４に記載のように、フレネルレンズであること、請求項５に記載のように、レンチキュラーシートであること、請求項６に記載のように、前記拡散スクリーンの表示面の２次元方向の一方向にレンズを配列したレンチキュラーシートおよび前記２次元方向の他方向にレンズを配列したレンチキュラーシートより成ること、請求項７に記載のように、ビーズスクリーンであること、あるいは、請求項８に記載のように、ホログラフィスクリーンであることが望ましい。また、前記光学シートは、吸湿に伴い伸び縮みすることを防止するため、請求項１９に記載のように、前記透明ベース部材と、前記拡散スクリーンと、前記スクリーンフレームとにより密閉構造になっていることが望ましい。
【００１１】
前記透明ベース部材は、前記スクリーンの撓みを少なくするために、請求項９に記載のように、合わせガラスであること、請求項１０に記載のように、熱強化ガラスであること、あるいは、請求項１１に記載のように、アクリル板であることが望ましい。
【００１２】
前記拡散スクリーンは、透過型スクリーンとして機能するとともに構成部材としてガラスを使用した場合の破損時の安全性を確保するために、請求項１２に記載のように、合わせガラスに拡散層を設けて成る拡散スクリーンであること、あるいは、請求項１３に記載のように、熱強化ガラスに拡散層を設けて成る拡散スクリーンであることが望ましい。
【００１３】
前記保護ガラスは、ガラス破損時に拡散シートを保護するために、請求項１４に記載のように、合わせガラスであること、あるいは、請求項１５に記載のように、熱強化ガラスであることが望ましい。
【００１４】
前記光学シートおよび前記拡散シートは、弛みを防止するために、請求項１６に記載のように、所定量の張力を掛けられていることが望ましい。
【００１５】
前記保護ガラスは、スクリーン表面の汚れや傷付きを防止するとともにスクリーン上に液体がこぼれた場合に拡散スクリーンに液体が回り込むことを防止するために、請求項１７に記載のように、装置最上部に配置されるとともに、該保護ガラスの下層に配置される各種部材を保持するスクリーンフレームに対してシール材で接着されることが望ましい。
【００１６】
前記保護ガラスは、メンテナンス性を良好にするために、請求項１８に記載のように、単独で交換可能な構造になっていることが望ましい。
【００１７】
【発明の効果】
第１発明においては、画像を形成するための光束を投写する複数Ｍ個のプロジェクタのそれぞれから投写される光束は、複数Ｎ個の反射ミラによって光路を曲げられた後、水平設置型のスクリーンの所定領域にそれぞれ投写されるが、前記スクリーンは、該スクリーンの撓みを少なくするための透明ベース部材と、像を結像する拡散スクリーンとを具備して成るので、大画面化した場合であってもスクリーンの撓みが少ない構成となる。したがって、撓みの少ない構成のスクリーンを用いて大画面表示時に高解像度表示を実現するようにしたテーブル型ディスプレイ装置を提供することができる。
【００１８】
第２発明においては、画像を形成するための光束を投写する複数Ｍ個のプロジェクタのそれぞれから投写される光束は、複数Ｎ個の反射ミラによって光路を曲げられた後、水平設置型のスクリーンの所定領域にそれぞれ投写されるが、前記スクリーンは、該スクリーンの撓みを少なくするための透明ベース部材と、前記複数Ｍ個のプロジェクタのそれぞれから投写される光束をほぼ均一化する光学シートと、像を結像する拡散スクリーンとを具備して成るので、大画面化した場合であってもスクリーンの撓みが少ない構成となるとともに、拡散スクリーンに投写される光束がほぼ均一化されることになる。したがって、撓みの少ない構成のスクリーンを用いて大画面表示時に繋ぎ目が目立たない高解像度表示を実現するようにしたテーブル型ディスプレイ装置を提供することができる。
【００１９】
第３発明においては、画像を形成するための光束を投写する複数Ｍ個のプロジェクタのそれぞれから投写される光束は、複数Ｎ個の反射ミラーによって光路を曲げられた後、水平設置型のスクリーンの所定領域にそれぞれ投写されるが、前記スクリーンは、該スクリーンの撓みを少なくするための透明ベース部材と、前記複数Ｍ個のプロジェクタのそれぞれから投写される光束をほぼ均一化する光学シートと、像を結像する透過型の拡散シートと、該拡散シートを保護するための保護ガラスとを具備して成るので、大画面化した場合であってもスクリーンの撓みが少ない構成となるとともに、拡散スクリーンに投写される光束がほぼ均一化されることになる。したがって、撓みの少ない構成のスクリーンを用いて大画面表示時に繋ぎ目が目立たない高解像度表示を実現するようにしたテーブル型ディスプレイ装置を提供することができる。
【００２０】
【発明の実施の形態】
以下、本発明の実施の形態を図面に基づき詳細に説明する。図１は本発明の第１実施形態のテーブル型ディスプレイ装置の構成を示す断面図である。本実施形態のテーブル型ディスプレイ装置は、図１に示すように、画像を形成するための光束を投写する複数Ｍ個（図示例では２個）のリア投写方式のプロジェクタ１Ｌ，１Ｒと、プロジェクタ１Ｌ，１Ｒのそれぞれから投写される光束の光路を曲げるための複数Ｎ個（図示例ではＮ＝Ｍ＝２個）の反射ミラー２Ｌ，２Ｒと、反射ミラー２Ｌ，２Ｒによって光路を曲げられた光束をそれぞれ所定領域に投写される水平設置型のスクリーン３と、前記各構成要素を収納するテーブル型の筺体４と、筺体４の内部に結合されるフレーム５と、フレーム５の上部に結合されるスクリーンフレーム６とを具備して成り、上記スクリーン３は、該スクリーンの撓みを少なくするための透明ベース部材７と、像を結像する拡散スクリーン８とを具備して成る。上記反射ミラー２Ｌ，２Ｒは、図示しない支持部材によって筺体４内のフレーム５等に支持されている。なお、上記反射ミラー２Ｌ，２Ｒは、プロジェクタ１Ｌ，１Ｒが水平設置の場合は、２枚の反射ミラー２Ｌ，２Ｒの代わりに大きな１枚の共通ミラーを用いる構成としてもよい。
【００２１】
上記プロジェクタ１Ｌ，１Ｒは、図示しない支持部材によって筺体４内に水平に支持されている。上記プロジェクタ１Ｌ，１Ｒとしては、高解像度のプロジェクタを用いるものとし、本実施形態ではＳＸＧＡ（１２８０＊１０２４画素）の解像度を有するプロジェクタを用いるが、代わりに、ＸＧＡ（１０２４＊７６８画素）の解像度を有するプロジェクタを用いてもよい。なお、上記プロジェクタ１Ｌ，１Ｒはそれぞれ、拡散スクリーン８を図１の前後方向に２分割した左右半面領域全体に光束を投写し得るように配置するものとする。その際、半面領域の隣接部分において光束をオーバーラップさせて表示しても、オーバーラップ無しで表示しても良いが、オーバーラップさせて表示する場合には、表示画面全体の解像度は２台分（２０４８＊１２８０画素）より小さくなる。
【００２２】
上記透明ベース部材７としては、ガラスやアクリル樹脂等の透明部材を用いることができるが、熱強化ガラス、アクリル板の何れかを用いるのが好ましい。上記透明ベース部材７の厚さは、その上部に加えられる荷重を考慮して決定するものとし、スクリーン３上に観察者が乗ることを想定して、例えば成人男子の平均体重（約６３Ｋｇ）に所定余裕分を加えた合計荷重が加わったときにスクリーン３が撓まないような厚さを有する透明ベース部材７を選定するものとする。
【００２３】
上記拡散スクリーン８としては、透過型スクリーンとして機能するとともに、構成部材としてガラスを使用した場合の破損時の安全性を確保するために、合わせガラスに拡散層を設けて成る拡散スクリーンまたは熱強化ガラスに拡散層を設けて成る拡散スクリーンを用いるものとする。
【００２４】
上記本実施形態のテーブル型ディスプレイ装置は、例えば、装置上部に形成されるテーブル面の横（図示左右方向）が約２０００ｍｍで、縦（図示前後方向）が約１６００ｍｍで、装置の高さ（図示上下方向）が約１０００ｍｍで、スクリーン３のサイズが約７０インチに構成されている。そのため、観察者とテーブル型ディスプレイ装置のスクリーン３との位置関係は、例えば図２に示すようになる。
【００２５】
次に、本実施形態のテーブル型ディスプレイ装置における大画面表示時の高解像度表示動作を説明する。なお、以下においては、スクリーン３上でオーバーラップ表示を行わない場合について説明するが、オーバーラップ表示を行う場合には、「オーバーラップ部分の画像をスムーズに繋ぐ画像処理」が加わるだけである。
【００２６】
まず、図示しない画像形成装置により、表示すべき画像をプロジェクタの個数分に分割（本実施形態の場合、２分割）して高解像度表示データを形成し、次に、これら高解像度表示データのそれそれをプロジェクタ１Ｌ，１Ｒに同期させて出力する。
【００２７】
上記高解像度表示データを受けたプロジェクタ１Ｌ，１Ｒは、図１に示すような投写角度および投写距離になるように筺体４内に設置されているため、プロジェクタ１Ｌ，１Ｒから水平方向に投写された画像を形成するための光束のそれぞれは、反射ミラー２Ｌ，２Ｒによって光路を上向きに曲げられる。光路を曲げられた光束は、スクリーン３の下面に投写され、透明ベース部材７を経て拡散スクリーン８の左右半面領域にそれぞれ投写される。その結果、約７０インチの大画面にＳＸＧＡの２倍の高解像度表示が実現されることになる。
【００２８】
その際、本実施形態のテーブル型ディスプレイ装置のスクリーン３から透明ベース部材７を省いた構成に相当する、特開２０００−３０５０７９号公報記載のディスプレイ装置では、スクリーンが図３のように撓んだ場合に左右プロジェクタからの光束が平行光に補正されないため、観察者の見る位置によって光の強度が異なるため、影のように見える位置が生じてしまう。したがって、スクリーンの撓みを少なくするために、透明ベース部材を用いてスクリーンを構成することが必要となる。
【００２９】
本実施形態のテーブル型ディスプレイ装置によれば、スクリーン３は、スクリーン３の撓みを少なくするための透明ベース部材７と、像を結像する拡散スクリーン８とを具備し、大画面に構成されているので、スクリーン３上に観察者が乗った場合にもスクリーン３が破損することは無い。したがって、撓みの少ない構成のスクリーン３を用いて大画面表示を行う際に、高解像度表示を実現することができる。
【００３０】
図４は本発明の第２実施形態のテーブル型ディスプレイ装置の構成を示す断面図である。本実施形態のテーブル型ディスプレイ装置は、図１に示す第１実施形態のテーブル型ディスプレイ装置に対し、スクリーン３の構成を変更したものであり、それ以外の部分は上記第１実施形態と同様に構成する。
【００３１】
すなわち、本実施形態のスクリーン３は、スクリーンの撓みを少なくするための透明ベース部材７と、像を結像する拡散スクリーン８との間に、プロジェクタ１Ｌ，１Ｒのそれぞれから投写される光束をほぼ均一化する機能を有する光学シート９を挿入して成る。光学シート９としては、フレネルレンズ、レンチキュラーシート、ビーズスクリーン、ホログラフィスクリーンの何れかを用いることができる。なお、本実施形態では、スクリーン３上でオーバーラップ表示を行うとともに、「オーバーラップ部分の画像をスムーズに繋ぐ画像処理」を行うことにより、より一層画像が見やすくなるようにするものとする。
【００３２】
オーバーラップ表示を行う場合には、例えば図５に示すようにスクリーンに４個のプロジェクタからの光束を投写する際に、図示上下方向および左右方向にオーバーラップ部が生じる。このとき、図示した位置に立っている観察者は、矢印ａ，ｂ，ｃで示すように前方を真っ直ぐに見る場合には、手前が暗く、遠方が暗く見え、明るさはａ＜ｂ＜ｃとなる。また、見る角度よって、矢印ｄ，ｅで示すように左右を見る場合には明るく、矢印ｂのように真っ直ぐに見る場合は暗く見え、明るさはｂ＜ｄ，ｂ＜ｅとなる。
【００３３】
ところで、本実施形態のような大画面のテーブル型ディスプレイ装置を構成する場合には、図６に示すように様々な位置に立っている観察者がスクリーン上の表示画像を見る際に、各観察者が同一視野特性になることが要求されるが、オーバーラップ表示を行う場合には、図７（ａ）に示すように各プロジェクタからの光束を直接的にスクリーンに投写するように構成すると、オーバーラップ部では観察者の視野角によって見え方が変わるため、上記要求に反することになる。そこで、本実施形態では、図７（ｂ）に示すようにスクリーンの構成部材として光束をほぼ均一化する光学シートを用いることにより、スクリーンを出射する光束がスクリーン面に対しほほ垂直になる（言い換えれば、ほぼ平行光になる）ように構成している。
【００３４】
本実施形態のテーブル型ディスプレイ装置によれば、透明ベース部材７と拡散スクリーン８との間に光学シート９を挿入して、拡散スクリーン８に斜め方向から入射した光束がほぼスクリーンを直交する方向に出射するようになって拡散スクリーン８に投写される光束がほぼ均一化される構造としたので、左右半面領域の接続部分が暗くなって繋ぎ目が目立つことはなく、観察者の立つ位置が異なった場合に画像の見え方が変わることもない。したがって、撓みの少ない構成のスクリーン３を用いて大画面表示を行う際に、繋ぎ目が目立たず見やすい高解像度表示を実現することができる。
【００３５】
図８は本発明の第３実施形態のテーブル型ディスプレイ装置の構成を示す断面図である。本実施形態のテーブル型ディスプレイ装置は、図４に示す第２実施形態のテーブル型ディスプレイ装置に対し、スクリーン３の構成を変更したものであり、それ以外の部分は上記第２実施形態と同様に構成する。
【００３６】
すなわち、本実施形態においては、スクリーン３の構成部材である光学シートとして、１枚物の光学シートではなく、拡散スクリーン８の表示面の２次元方向の一方向（図８のＸ方向）にレンズを配列したレンチキュラーシート９−１および２次元方向の他方向（図８のＹ方向）にレンズを配列したレンチキュラーシート９−２を積層したものを用いるものとする。なお、本実施形態では、スクリーン３上でオーバーラップ表示を行うとともに、「オーバーラップ部分の画像をスムーズに繋ぐ画像処理」を行うことにより、より一層画像が見やすくなるようにするものとする。
【００３７】
本実施形態のテーブル型ディスプレイ装置によれば、透明ベース部材７と拡散スクリーン８との間にレンチキュラーシート９−１，９−２より成る光学シート９を挿入して、拡散スクリーン８に斜め方向から入射した光束がほぼスクリーンを直交する方向に出射するようになって拡散スクリーン８に投写される光束がほぼ均一化される構造としたので、左右半面領域の接続部分が暗くなって繋ぎ目が目立つことはなく、観察者の立つ位置が異なった場合に画像の見え方が変わることもない。したがって、撓みの少ない構成のスクリーン３を用いて大画面表示を行う際に、繋ぎ目が目立たず見やすい高解像度表示を実現することができる。
【００３８】
図９は本発明の第４実施形態のテーブル型ディスプレイ装置の要部の構成を示す断面図である。本実施形態のテーブル型ディスプレイ装置は、図８に示す第３実施形態のテーブル型ディスプレイ装置に対し、スクリーン３の構成を変更したものであり、それ以外の部分は上記第３実施形態と同様に構成する。
【００３９】
すなわち、本実施形態においては、第３実施形態ではスクリーン３の最上部を構成するために用いた１枚物の拡散スクリーン８の代わりに、像を結像する透過型の拡散シート１０と、拡散シート１０を保護するための保護ガラス１１とから成る拡散スクリーン１２を用いるようにスクリーン構造を変更するとともに、保護ガラス１１の周辺部の上部に、押さえ板１３を追加する変更を加えている。なお、本実施形態では、光学シート９として、図示のような２枚のレンチキュラーシート９−１，９−２より成る光学シート９を用いているが、代わりに１枚物の光学シート９を用いてもよい。
【００４０】
上記拡散スクリーン１２は、図９に示すような拡散シート１０および保護ガラス１１を独立に設ける構造の他、図１０に示すような保護ガラス１１として用いた合わせガラス１４の下面に拡散層１５を形成する構造とすることができ、さらに、ここでは図示しないが、保護ガラス１１として用いた熱強化ガラスの下面に拡散層を形成する構造とすることもできる。
【００４１】
本実施形態のテーブル型ディスプレイ装置によれば、上記第３実施形態と同様の効果が得られる上に、１枚物の拡散スクリーン８の代わりに拡散シート１０および保護ガラス１１より成る拡散スクリーン１２を用いたので、高硬度を有するサファイアガラス等を用いる場合と比べて大幅にスクリーン３の製造コストを削減することができる。さらに、スクリーン３の表面に保護ガラス１１を設ける構成としたので、スクリーン表面の汚れや傷付きを防止することができる。
【００４２】
図１１（ａ），（ｂ）はそれぞれ、本発明の第５実施形態のテーブル型ディスプレイ装置の要部の構成を示す断面図およびスクリーンの交換可能部分を示す図である。本実施形態のテーブル型ディスプレイ装置は、図９に示す第４実施形態のテーブル型ディスプレイ装置に対し、スクリーン３の一部を交換可能にする変更を加えたものであり、それ以外の部分は上記第４実施形態（１枚物の光学シート９を用いるもの）と同様に構成する。
【００４３】
すなわち、本実施形態においては、図１１（ａ）に示すように、保護ガラス１１および押さえ板１３間にゴムシート１６を設け、ゴムシート１６上面および押さえ板１３下面の接触部、ゴムシート１６下面および保護ガラス１１上面の接触部、ならびに、ゴムシート１６の外周面およびスクリーンフレーム６の内周面の接触部をそれぞれシール材により接着することにより、保護ガラス１１を交換可能ユニット化している。なお、光学シート９として、図１１（ａ）では１枚物の光学シート９を用いているが、代わりに図９のような２枚のレンチキュラーシート９−１，９−２より成る光学シート９を用いてもよい。また、ゴムシートの代わりにシール部材を用いてもよい。
【００４４】
本実施形態のテーブル型ディスプレイ装置によれば、上記第４実施形態と同様の効果が得られる上に、図１１（ｂ）に示すように拡散スクリーン１２を構成する保護ガラス１１上に液体がこぼれた場合に、拡散スクリーン１２の下部に液体が回り込むことを効果的に防止する効果が得られ、さらに、保護ガラス１１が単独で交換可能な構造になっているため、メンテナンス性が良好になるという効果も得られる。
【００４５】
図１２は本発明の第６実施形態のテーブル型ディスプレイ装置の要部の構成を示す図である。本実施形態のテーブル型ディスプレイ装置は、図９に示す第４実施形態のテーブル型ディスプレイ装置（１枚物の光学シート９を用いるもの）に対し、スクリーン３の構成要素である拡散シート１０および光学シート９に所定量の張力を掛けるような変更を加えたものであり、それ以外の部分は上記第４実施形態と同様に構成する。
【００４６】
すなわち、本実施形態においては、図１２に示すように、拡散シート１０および光学シート９を左右方向に延長して、延長した部分を筒状部材１７を介して下方に折り返してその左右下端部にそれぞれウエイト１８を吊すことにより、ウエイト１８に応じた下向きの張力を掛けるようにしている。
【００４７】
本実施形態のテーブル型ディスプレイ装置によれば、上記第３実施形態と同様の効果が得られる上に、拡散シート１０および光学シート９の緩みを防止してスクリーン３全体の緩みを防止する効果が得られる。
【００４８】
図１３は本発明の第７実施形態のテーブル型ディスプレイ装置の要部の構成を示す図である。本実施形態のテーブル型ディスプレイ装置は、図１２に示す第６実施形態のテーブル型ディスプレイ装置に対し、拡散シート１０および光学シート９の図示左方向に延長する部分を短縮するとともに、延長した部分をシート止め１９で固定するように変更したものであり、それ以外の部分は上記第６実施形態と同様に構成する。
【００４９】
本実施形態のテーブル型ディスプレイ装置によれば、上記第６実施形態と同様の効果が得られる上に、筒状部材１７およびウエイト１８の所要数が第６実施形態の半分で済むため、コストダウンになる効果が得られる。
【００５０】
図１４は本発明の第８実施形態のテーブル型ディスプレイ装置の要部の構成を示す図である。本実施形態のテーブル型ディスプレイ装置は、図１２に示す第６実施形態のテーブル型ディスプレイ装置に対し、拡散シート１０および光学シート９の左右方向に延長する部分を最小限の寸法にするとともに、延長した部分を２枚の板部材より成るサンドイッチ部材２０で挟み込んで、サンドイッチ部材２０の端部にウエイト１８を吊すように変更したものであり、それ以外の部分は上記第６実施形態と同様に構成する。
【００５１】
本実施形態のテーブル型ディスプレイ装置によれば、上記第６実施形態と同様の効果が得られる上に、ウエイト１８を各２個用いた場合の拡散シート１０および光学シート９の左右端部への応力集中を防止する効果が得られる。
【００５２】
図１５は本発明の第９実施形態のテーブル型ディスプレイ装置の要部の構成を示す図である。本実施形態のテーブル型ディスプレイ装置は、図１２に示す第６実施形態のテーブル型ディスプレイ装置に対し、拡散シート１０および光学シート９の左右方向に延長する部分を最小限の寸法にするとともに、延長した部分に直接的に多数（図示例では各５個）のウエイト１８を吊すように変更したものであり、それ以外の部分は上記第６実施形態と同様に構成する。
【００５３】
本実施形態のテーブル型ディスプレイ装置によれば、上記第６実施形態と同様の効果が得られる上に、構造が簡略化される。
【００５４】
図１６は本発明の第１０実施形態のテーブル型ディスプレイ装置の要部の構成を示す図である。本実施形態のテーブル型ディスプレイ装置は、拡散シート１０および光学シート９の左右２辺に張力を掛けるように構成した図１２に示す第６実施形態のテーブル型ディスプレイ装置に対し、図示前後左右の４辺に張力を掛けるようにする変更を加えたものであり、それ以外の部分は上記第６実施形態と同様に構成する。
【００５５】
本実施態のテーブル型ディスプレイ装置によれば、上記第６実施形態と同様の効果が得られるとともに、スクリーンの緩み防止機能がさらに強化されることになる。
【００５６】
図１７は本発明の第１１実施形態のテーブル型ディスプレイ装置の要部の構成を示す図である。本実施形態のテーブル型ディスプレイ装置は、図１１に示す第５実施形態のテーブル型ディスプレイ装置に対し、光学シート９を密閉構造にする変更を加えたものであり、それ以外の部分は上記第５実施形態と同様に構成する。
【００５７】
すなわち、本実施形態においては、図１７に示すように、拡散スクリーン１２の上面および押さえ板１３の下面間にゴム２１を設けるとともに透明ベース部材７の下面左右端部およびスクリーンフレーム６の上面間にゴム２２を設け、ゴム２１の端面および拡散スクリーン１２の上面の接触部、ゴム２１の下面およびスクリーンフレーム６の上面の接触部、ならびに、ゴム２２の上面および透明ベース部材７の下面の接触部をそれぞれ接着シール２３により接着することにより、光学シート９を完全な密閉構造にしている。
【００５８】
本実施態のテーブル型ディスプレイ装置によれば、上記第５実施形態と同様の効果が得られる上に、光学シートとしてアクリル製のものを用いた場合の光学シートの吸湿に伴う伸び縮みを効果的に防止する効果が得られる。
【００５９】
ここで、上記各実施形態における透明ベース部材（ベースガラス）、保護ガラス，ガラスベースの拡散スクリーンの厚さについて説明する。
プロジェクタから反射ミラーを介して投写される画像は、ベースガラスを通過して光学シートに到達する。このとき、ベースガラス通過時にガラスの屈折率分だけ画像の投写方向が変化するが、ベースガラス部では結像していないため、投写方向が変わっても拡散層にピントが合うようにプロジェクタの調整を行えば、前記ガラスの屈折率による影響は無くなる。したがって、ベースガラスの厚さは任意に選択すればよく、テーブルに求められる、「誤って人が上に乗ってしまった際の強度」等に基づいて決定するものとする。例えば７０インチ程度のスクリーンの場合、スクリーン中央に１００ｋｇ程度の荷重を受けると仮定すると、約６ｍｍ＋約６ｍｍ程度の厚さの合わせガラスを用いれば、ガラスの許容応力以下にすることができる。
【００６０】
一方、光学シートの上の拡散層のガラスの厚さは、結像後の像が通過するため、ガラスの屈折率で方向が変化すると像が見にくくなるという問題がある。スクリーンが垂直に立っているディスプレイ装置では、正面もしくは正面近傍で見ることが多いため、屈折率の影響は少ないが、テーブル型ディスプレイ装置の場合は、常に斜めからスクリーンを見るため、手前側に比べて奥側は屈折率の影響を受けやすくなり、像が歪んで見える結果となる。また、ガラスの上に定規を置いて、当該画像データの長さを測ったりする場合も、結像面が離れ、かつ、像が屈折して見えるため、非常に測りにくい。これまで何種類かの厚さで試したところ、表面のガラス層の厚さは約１２ｍｍ程度が限界であり、薄ければ薄いほと良いという結果になった。７０インチ程度の大きさのものでは、あまり薄いと製造ができないという問題もあるため、約２ｍｍ＋約２ｍｍ〜約６ｍｍ＋約６ｍｍ程度の合わせガラスが、最上層のガラスとして適当であることを確認した。なお、熱強化ガラスやアクリルの場合も、同様な厚さが適当である。
【図面の簡単な説明】
【図１】本発明の第１実施形態のテーブル型ディスプレイ装置の構成を示す断面図である。
【図２】第１実施形態のテーブル型ディスプレイ装置における、観察者とスクリーンとの位置関係を例示する図である。
【図３】第１実施形態のテーブル型ディスプレイ装置において透明ベース部材を用いる理由を説明するための図である。
【図４】本発明の第２実施形態のテーブル型ディスプレイ装置の構成を示す断面図である。
【図５】テーブル型ディスプレイ装置においてオーバーラップ表示を行う際のスクリーン上のオーバーラップ部と見え方との関係を説明するための図である。
【図６】大画面のテーブル型ディスプレイ装置に要求される同一視野特性を説明するための図である。
【図７】（ａ），（ｂ）はそれぞれ、テーブル型ディスプレイ装置のスクリーンに光学シートを用いない場合および用いる場合のスクリーンから出射する光束の状態を例示する図である。
【図８】本発明の第３実施形態のテーブル型ディスプレイ装置の構成を示す断面図である。
【図９】本発明の第４実施形態のテーブル型ディスプレイ装置の要部の構成を示す断面図である。
【図１０】第４実施形態のテーブル型ディスプレイ装置の拡散スクリーンの変形例を示す図である。
【図１１】（ａ），（ｂ）はそれぞれ、本発明の第５実施形態のテーブル型ディスプレイ装置の要部の構成を示す断面図およびスクリーンの交換可能部分を示す図である。
【図１２】本発明の第６実施形態のテーブル型ディスプレイ装置の要部の構成を示す図である。
【図１３】本発明の第７実施形態のテーブル型ディスプレイ装置の要部の構成を示す図である。
【図１４】本発明の第８実施形態のテーブル型ディスプレイ装置の要部の構成を示す図である。
【図１５】本発明の第９実施形態のテーブル型ディスプレイ装置の要部の構成を示す図である。
【図１６】本発明の第１０実施形態のテーブル型ディスプレイ装置の要部の構成を示す図である。
【図１７】本発明の第１１実施形態のテーブル型ディスプレイ装置の要部の構成を示す図である。
【図１８】従来技術を説明するための図である。
【符号の説明】
１Ｌ，１Ｒプロジェクタ
２Ｌ，２Ｒ　反射ミラー
３　スクリーン
４　筺体
５　フレーム
６　スクリーンフレーム
７　透明ベース部材
８，１２　拡散スクリーン
９　光学シート
９−１，９−２　レンチキュラーシート
１０　拡散シート
１１　保護ガラス
１３　押さえ板
１４　合わせガラス
１５　拡散層
１６　ゴムシート
１７　筒状部材
１８　ウエイト
１９　シート止め
２０　サンドイッチ部材
２１，２２　ゴム
２３　接着シール
【図１】
2004012712.tif 000003
【図２】
2004012712.tif 000004
【図３】
2004012712.tif 000005
【図４】
2004012712.tif 000006
【図５】
2004012712.tif 000007
【図６】
2004012712.tif 000008
【図７】
2004012712.tif 000009
【図８】
2004012712.tif 000010
【図９】
2004012712.tif 000011
【図１０】
2004012712.tif 000012
【図１１】
2004012712.tif 000013
【図１２】
2004012712.tif 000014
【図１３】
2004012712.tif 000015
【図１４】
2004012712.tif 000016
【図１５】
2004012712.tif 000017
【図１６】
2004012712.tif 000018
【図１７】
2004012712.tif 000019
【図１８】
2004012712.tif 000020